(57)【特許請求の範囲】
【請求項１】
スキャン機能を有する画像処理装置と、
前記画像処理装置と通信可能な携帯端末とを備え、
前記画像処理装置は、
前記スキャン機能を用いる動作を検知すると、他の装置に対してスキャンデーターの受信の可否を問い合わせるための問い合わせ手段と、
前記問い合わせに対する返答に含まれる情報から、前記問い合わせに対してスキャンデーターの受信可能と返答した携帯端末の、スキャンデーターの送信先を取得するための取得手段と、
前記取得手段で取得された送信先を、前記スキャン機能を用いる動作によって得られるスキャンデーターの送信先として設定するための設定手段とを含み、
前記携帯端末は、
スキャンデーターの受信の可否を設定するための設定手段と、
前記設定手段においてスキャンデーターの受信可が設定されている場合に他の装置からスキャンデーターの受信の可否の問い合わせを受けると、前記他の装置に対して、前記スキャンデーターの受信情報と共に受信可能を返答するための返答手段とを含み、
前記画像処理装置は、前記スキャン機能を用いる動作によって得られるスキャンデーターを、前記問い合わせに対してスキャンデーターの受信可能と返答した、１台の携帯端末に対して送信する、画像処理システム。
【請求項２】
前記携帯端末の設定手段は、所定の操作を受け付けることで前記スキャンデーターを受信しない設定から受信可の設定に切り替え、当該切り替えの後に所定時間が経過すると、受信可の設定から受信しない設定へと切り替える、請求項１に記載の画像処理システム。
【請求項３】
前記携帯端末の設定手段は、所定の操作を受け付けている間、スキャンデーターの受信可を設定する、請求項１に記載の画像処理システム。
【請求項４】
前記携帯端末の設定手段は、前記スキャンデーターを受信しない設定から受信可の設定に切り替える際に、他の装置に対してスキャンデーターの受信の可否を問い合わせるための問い合わせ手段を含み、前記他の装置のいずれもがスキャンデーターの受信可と設定されていない場合に、前記スキャンデーターを受信しない設定から受信可の設定に切り替える、請求項１〜３のいずれかに記載の画像処理システム。
【請求項５】
前記画像処理装置からの前記問い合わせに対する返答には、当該携帯端末においてスキャンデーターの受信可が設定されてからの経過時間が含まれ、
前記画像処理装置の設定手段は、前記問い合わせに対してスキャンデーターの受信可能と返答した携帯端末が複数台あった場合、スキャンデーターの送信可が設定されてからの経過時間に基づいて、前記複数台の携帯端末のうちから１台の携帯端末を前記スキャン機能を用いる動作によって得られるスキャンデーターの送信先として決定する、請求項１〜４のいずれかに記載の画像処理システム。
【請求項６】
前記画像処理装置は、前記問い合わせに対してスキャンデーターの受信可能と返答した、複数の携帯端末のうちから、前記スキャン機能を用いる動作によって得られるスキャンデーターの送信先とする携帯端末を指示する操作を受け付けるための受付手段をさらに含む、請求項１〜５のいずれかに記載の画像処理システム。
【請求項７】
前記受付手段は、前記複数の携帯端末から前記返答を受け付けた後の所定の期間に携帯端末から指示信号の入力を受け付け、
前記設定手段は、前記受付手段で前記指示信号の入力を受け付けた前記携帯端末を、前記スキャン機能を用いる動作によって得られるスキャンデーターの送信先として設定する、請求項６に記載の画像処理システム。
【請求項８】
前記受付手段は、前記複数の携帯端末それぞれを表わす情報を選択可能に表示してその中からの選択を受け付け、
前記複数の携帯端末それぞれを表わす情報は、前記返答に含まれる当該携帯端末に関連付けられたユーザーのメールアドレス、または前記画像処理装置から前記複数の携帯端末それぞれに送信された情報である、請求項６に記載の画像処理システム。
【請求項９】
スキャン機能を有する画像処理装置と、
前記画像処理装置と通信可能な携帯端末とを備え、
前記画像処理装置は、
前記スキャン機能を用いる動作を検知すると、他の装置に対してスキャンデーターの受信の可否を問い合わせるための問い合わせ手段と、
前記問い合わせに対する返答に含まれる情報から、前記問い合わせに対してスキャンデーターの受信可能と返答した携帯端末の、スキャンデーターの送信先を取得するための取得手段と、
前記取得手段で取得された送信先を、前記スキャン機能を用いる動作によって得られるスキャンデーターの送信先として設定するための設定手段とを含み、
前記携帯端末は、
スキャンデーターの受信の可否を設定するための設定手段と、
前記設定手段においてスキャンデーターの受信可が設定されている場合に他の装置からスキャンデーターの受信の可否の問い合わせを受けると、前記他の装置に対して、前記スキャンデーターの受信情報と共に受信可能を返答するための返答手段と、
前記画像処理装置から送信された前記スキャンデーターを受信するか否かを指示するための指示手段とを含み、
前記画像処理装置は、前記問い合わせに対してスキャンデーターの受信可能と返答した携帯端末が複数あった場合に、前記複数の携帯端末それぞれに前記スキャン機能を用いる動作によって得られるスキャンデーターを送信し、
前記携帯端末は、前記指示手段により前記スキャンデーターを受信すると指示した場合に、前記画像処理装置から送信された前記スキャンデーターを受信する、画像処理システム。
【請求項１０】
前記スキャン機能を用いる動作は、スキャン対象の原稿のセット、スキャン動作のための設定、またはスキャン動作の開始の指示のいずれかである、請求項１〜９のいずれかに記載の画像処理システム。
【請求項１１】
スキャン機能を有する画像処理装置であって、
前記スキャン機能を用いる動作を検知すると、他の装置に対してスキャンデーターの受信の可否を問い合わせるための問い合わせ手段と、
前記問い合わせに対する返答に含まれる情報から、前記問い合わせに対してスキャンデーターの受信可能と返答した携帯端末の、スキャンデーターの送信先を取得するための取得手段と、
前記取得手段で取得された送信先を、前記スキャン機能を用いる動作によって得られるスキャンデーターの送信先として設定するための設定手段とを備え、
前記携帯端末からの前記返答には、当該携帯端末においてスキャンデーターの受信可が設定されてからの経過時間が含まれ、
前記設定手段は、前記問い合わせに対してスキャンデーターの受信可能と返答した携帯端末が複数台あった場合、スキャンデーターの送信可が設定されてからの経過時間に基づいて、前記複数台の携帯端末のうちから１台の携帯端末を前記スキャン機能を用いる動作によって得られるスキャンデーターの送信先として決定する、画像処理装置。
【請求項１２】
スキャン機能を有する画像処理装置と通信可能な携帯端末であって、
スキャンデーターの受信の可否を設定するための設定手段と、
前記設定手段においてスキャンデーターの受信可が設定されている場合に他の装置からスキャンデーターの受信の可否の問い合わせを受けると、前記他の装置に対して、前記スキャンデーターの受信情報と共に受信可能を返答するための返答手段とを備える、携帯端末。
【請求項１３】
スキャン機能を有する画像処理装置と、前記画像処理装置と通信可能な携帯端末とを含んだ画像処理システムにおいて、前記画像処理装置からのスキャンデーターの送信先を前記画像処理装置が設定する方法であって、
前記携帯端末は、スキャンデーターの受信の可否を設定するための設定手段を含み、
前記画像処理装置が前記スキャン機能を用いる動作を検知すると、前記画像処理装置が他の装置に対してスキャンデーターの受信の可否を問い合わせるステップと、
前記問い合わせを受信した前記携帯端末が、前記設定手段においてスキャンデーターの受信可が設定されている場合に、前記画像処理装置に対して、前記スキャンデーターの受信情報と共に受信可能を返答するステップと、
前記画像処理装置が、前記返答に含まれる情報から、前記携帯端末のスキャンデーターの送信先を取得するステップと、
前記返答が複数の携帯端末からあった場合に、前記画像処理装置が、前記複数の携帯端末それぞれからの返答に基づいて前記スキャン機能を用いる動作によって得られるスキャンデーターの送信先とする携帯端末を絞り込むステップと、
前記画像処理装置が、前記絞り込むステップで絞り込まれた前記携帯端末の前記返答から前記取得するステップで取得された送信先を、前記スキャン機能を用いる動作によって得られるスキャンデーターの送信先として設定するステップとを備える、設定方法。
【請求項１４】
スキャン機能を有する画像処理装置に、前記スキャン機能を用いる動作によって得られるスキャンデーターの送信先を設定する処理を実行させるためのプログラムであって、
前記スキャン機能を用いる動作を検知すると、他の装置に対してスキャンデーターの受信の可否を問い合わせるステップと、
前記問い合わせに対する返答に含まれる情報から、前記問い合わせに対してスキャンデーターの受信可能と返答した携帯端末の、スキャンデーターの送信先を取得するステップと、
前記取得するステップで取得された送信先を、前記スキャン機能を用いる動作によって得られるスキャンデーターの送信先として設定するステップとを前記画像処理装置に実行させ、
前記携帯端末からの前記返答には、当該携帯端末においてスキャンデーターの受信可が設定されてからの経過時間が含まれ、
前記設定するステップでは、前記問い合わせに対してスキャンデーターの受信可能と返答した携帯端末が複数台あった場合、スキャンデーターの送信可が設定されてからの経過時間に基づいて、前記複数台の携帯端末のうちから１台の携帯端末を前記スキャン機能を用いる動作によって得られるスキャンデーターの送信先として決定する、制御プログラム。
【請求項１５】
スキャン機能を有する画像処理装置と通信可能な携帯端末に、前記スキャン機能を用いる動作によって得られるスキャンデーターを受信する処理を実行させるためのプログラムであって、
スキャンデーターの受信の可否を設定するステップと、
前記設定するステップにおいてスキャンデーターの受信可が設定されている場合に他の装置からスキャンデーターの受信の可否の問い合わせを受けると、前記他の装置に対して、前記スキャンデーターの受信情報と共に受信可能を返答するステップとを前記携帯端末に実行させる、制御プログラム。
【発明の詳細な説明】
【技術分野】
【０００１】
この発明は画像処理システム、画像処理装置、携帯端末、設定方法、および制御プログラムに関し、特に、スキャンデーターを携帯端末に送信する画像処理システム、画像処理装置、携帯端末、設定方法、および制御プログラムに関する。
【背景技術】
【０００２】
プリンターやコピー機やそれらの複合機であるＭＦＰ（Multi-Functional Peripheral）などである画像処理装置に対して携帯端末からプリント対象のデーターを転送したり、画像処理装置から携帯端末に対してスキャンデーターを転送したりする使い方がなされている。
【０００３】
このような使い方の一例として、たとえば、出張者が携帯端末を出張先のオフィスに設けられたネットワーク上の画像処理装置と通信させることで、当該画像処理装置を利用する方法が挙げられる。
【０００４】
画像処理装置でスキャンして得られたスキャンデーターを携帯端末に対して転送したい場合に、転送先である携帯端末のネットワーク情報（ＩＰアドレス、通信ポート情報、等）を画像処理装置に対して設定する必要がある。
【０００５】
画像処理装置に対して転送先である携帯端末のネットワーク情報を設定する方法として、ネットワーク情報をユーザー自身が画像処理装置に入力することで設定する方法が挙げられる。
【０００６】
しかしながらこの方法の場合、ネットワーク情報はＤＨＣＰ（Dynamic Host Configuration Protocol）などによってＩＰアドレスなどの一時的なネットワーク情報が自動的に割り当てられる場合があり、この場合にユーザーは、自身の携帯端末に割り当てられるネットワーク情報を認識していないことが多いために、画像処理装置に対して入力することが難しい、という問題がある。
【０００７】
ここで、たとえば特開２０１０−１９３１６６号公報（特許文献１）は、ネットワーク上での問い合わせに対する応答からネットワーク情報を取得して、自動的に該ネットワーク情報を設定する技術を開示している。上述の問題に対して、たとえば特許文献１の技術を応用して、画像処理装置がネットワーク内にブロードキャストで問い合わせ、当該問い合わせを受信した携帯端末から自動でネットワーク情報を画像処理装置に返答することで、画像処理装置で自動的に当該携帯端末をスキャンデーターの送信先として設定する方法が挙げられる。
【先行技術文献】
【特許文献】
【０００８】
【特許文献１】特開２０１０−１９３１６６号公報
【発明の概要】
【発明が解決しようとする課題】
【０００９】
しかしながら上述の方法の場合、複数の携帯端末が画像処理装置からの問い合わせを受信すると、当該複数の携帯端末から返答がなされることになる。この場合、ユーザーは、これら複数の携帯端末のうちから自身の携帯端末を選択してスキャンデーターの送信先として設定する必要がある。しかしながら、前者の例と同様にＩＰアドレスなどのネットワーク情報を認識していないことがあり、また、自身で入力したものでない場合には端末名も認識していないことがあり、このようなもので複数の携帯端末を提示されても、それらの中から自身の携帯する携帯端末を選択することが難しい、という問題がある。
【００１０】
本発明はこのような問題に鑑みてなされたものであって、煩雑な操作を行なうことなく画像処理装置からのスキャンデーターの送信先を設定することのできる画像処理システム、画像処理装置、携帯端末、設定方法、および制御プログラムを提供することを目的としている。
【課題を解決するための手段】
【００１１】
上記目的を達成するために、本発明のある局面に従うと、画像処理システムは、スキャン機能を有する画像処理装置と、画像処理装置と通信可能な携帯端末とを備える。画像処理装置は、スキャン機能を用いる動作を検知すると、他の装置に対してスキャンデーターの受信の可否を問い合わせるための問い合わせ手段と、問い合わせに対する返答に含まれる情報から、問い合わせに対してスキャンデーターの受信可能と返答した携帯端末の、スキャンデーターの送信先を取得するための取得手段と、取得手段で取得された送信先を、スキャン機能を用いる動作によって得られるスキャンデーターの送信先として設定するための設定手段とを含む。携帯端末は、スキャンデーターの受信の可否を設定するための設定手段と、設定手段においてスキャンデーターの受信可が設定されている場合に他の装置からスキャンデーターの受信の可否の問い合わせを受けると、他の装置に対して、スキャンデーターの受信情報と共に受信可能を返答するための返答手段とを含む。画像処理装置は、スキャン機能を用いる動作によって得られるスキャンデーターを、問い合わせに対してスキャンデーターの受信可能と返答した、１台の携帯端末に対して送信する。
【００１２】
好ましくは、携帯端末の設定手段は、所定の操作を受け付けることでスキャンデーターを受信しない設定から受信可の設定に切り替え、当該切り替えの後に所定時間が経過すると、受信可の設定から受信しない設定へと切り替える。
【００１３】
好ましくは、携帯端末の設定手段は、所定の操作を受け付けている間、スキャンデーターの受信可を設定する。
【００１４】
好ましくは、携帯端末の設定手段は、スキャンデーターを受信しない設定から受信可の設定に切り替える際に、他の装置に対してスキャンデーターの受信の可否を問い合わせるための問い合わせ手段を含み、他の装置のいずれもがスキャンデーターの受信可と設定されていない場合に、スキャンデーターを受信しない設定から受信可の設定に切り替える。
【００１５】
好ましくは、画像処理装置からの問い合わせに対する返答には、当該携帯端末においてスキャンデーターの受信可が設定されてからの経過時間が含まれ、画像処理装置の設定手段は、問い合わせに対してスキャンデーターの受信可能と返答した携帯端末が複数台あった場合、スキャンデーターの送信可が設定されてからの経過時間に基づいて、複数台の携帯端末のうちから１台の携帯端末をスキャン機能を用いる動作によって得られるスキャンデーターの送信先として決定する。
【００１６】
好ましくは、画像処理装置は、問い合わせに対してスキャンデーターの受信可能と返答した、複数の携帯端末のうちから、スキャン機能を用いる動作によって得られるスキャンデーターの送信先とする携帯端末を指示する操作を受け付けるための受付手段をさらに含む。
【００１７】
より好ましくは、受付手段は、複数の携帯端末から返答を受け付けた後の所定の期間に携帯端末から指示信号の入力を受け付け、設定手段は、受付手段で指示信号の入力を受け付けた携帯端末を、スキャン機能を用いる動作によって得られるスキャンデーターの送信先として設定する。
【００１８】
または、より好ましくは、受付手段は、複数の携帯端末それぞれを表わす情報を選択可能に表示してその中からの選択を受け付け、複数の携帯端末それぞれを表わす情報は、返答に含まれる当該携帯端末に関連付けられたユーザーのメールアドレス、または画像処理装置から複数の携帯端末それぞれに送信された情報である。
【００１９】
本発明の他の局面に従うと、画像処理システムは、スキャン機能を有する画像処理装置と、画像処理装置と通信可能な携帯端末とを備える。画像処理装置は、スキャン機能を用いる動作を検知すると、他の装置に対してスキャンデーターの受信の可否を問い合わせるための問い合わせ手段と、問い合わせに対する返答に含まれる情報から、問い合わせに対してスキャンデーターの受信可能と返答した携帯端末の、スキャンデーターの送信先を取得するための取得手段と、取得手段で取得された送信先を、スキャン機能を用いる動作によって得られるスキャンデーターの送信先として設定するための設定手段とを含む。携帯端末は、スキャンデーターの受信の可否を設定するための設定手段と、設定手段においてスキャンデーターの受信可が設定されている場合に他の装置からスキャンデーターの受信の可否の問い合わせを受けると、他の装置に対して、スキャンデーターの受信情報と共に受信可能を返答するための返答手段と、画像処理装置から送信されたスキャンデーターを受信するか否かを指示するための指示手段とを含む。画像処理装置は、問い合わせに対してスキャンデーターの受信可能と返答した複数の携帯端末それぞれにスキャン機能を用いる動作によって得られるスキャンデーターを送信し、携帯端末は、指示手段によりスキャンデーターを受信すると指示した場合に、スキャンデーターを受信する。
【００２０】
好ましくは、スキャン機能を用いる動作は、スキャン対象の原稿のセット、スキャン動作のための設定、またはスキャン動作の開始の指示のいずれかである。
【００２１】
本発明の他の局面に従うと、画像処理装置はスキャン機能を有する画像処理装置であって、スキャン機能を用いる動作を検知すると、他の装置に対してスキャンデーターの受信の可否を問い合わせるための問い合わせ手段と、問い合わせに対する返答に含まれる情報から、問い合わせに対してスキャンデーターの受信可能と返答した携帯端末の、スキャンデーターの送信先を取得するための取得手段と、取得手段で取得された送信先を、スキャン機能を用いる動作によって得られるスキャンデーターの送信先として設定するための設定手段とを備える。携帯端末からの返答には、当該携帯端末においてスキャンデーターの受信可が設定されてからの経過時間が含まれ、記設定手段は、問い合わせに対してスキャンデーターの受信可能と返答した携帯端末が複数台あった場合、スキャンデーターの送信可が設定されてからの経過時間に基づいて、複数台の携帯端末のうちから１台の携帯端末をスキャン機能を用いる動作によって得られるスキャンデーターの送信先として決定する。
【００２２】
本発明のさらに他の局面に従うと、携帯端末はスキャン機能を有する画像処理装置と通信可能な携帯端末であって、スキャンデーターの受信の可否を設定するための設定手段と、設定手段においてスキャンデーターの受信可が設定されている場合に他の装置からスキャンデーターの受信の可否の問い合わせを受けると、他の装置に対して、スキャンデーターの受信情報と共に受信可能を返答するための返答手段とを備える。
【００２３】
本発明のさらに他の局面に従うと、設定方法は、スキャン機能を有する画像処理装置と、画像処理装置と通信可能な携帯端末とを含んだ画像処理システムにおいて、画像処理装置からのスキャンデーターの送信先を画像処理装置が設定する方法である。携帯端末は、スキャンデーターの受信の可否を設定するための設定手段を含む。この方法は、画像処理装置がスキャン機能を用いる動作を検知すると、画像処理装置から他の装置に対してスキャンデーターの受信の可否を問い合わせるステップと、問い合わせを受信した携帯端末が、設定手段においてスキャンデーターの受信可が設定されている場合に、画像処理装置に対して、スキャンデーターの受信情報と共に受信可能を返答するステップと、画像処理装置が、返答に含まれる情報から、携帯端末のスキャンデーターの送信先を取得するステップと、返答が複数の携帯端末からあった場合に、画像処理装置が、複数の携帯端末それぞれからの返答に基づいてスキャン機能を用いる動作によって得られるスキャンデーターの送信先とする携帯端末を絞り込むステップと、画像処理装置が、絞り込むステップで絞り込まれた携帯端末の返答から取得するステップで取得された送信先を、スキャン機能を用いる動作によって得られるスキャンデーターの送信先として設定するステップとを備える。
【００２４】
本発明のさらに他の局面に従うと、制御プログラムは、スキャン機能を有する画像処理装置に、スキャン機能を用いる動作によって得られるスキャンデーターの送信先を設定する処理を実行させるためのプログラムであって、スキャン機能を用いる動作を検知すると、他の装置に対してスキャンデーターの受信の可否を問い合わせるステップと、問い合わせに対する返答に含まれる情報から、問い合わせに対してスキャンデーターの受信可能と返答した携帯端末の、スキャンデーターの送信先を取得するステップと、取得するステップで取得された送信先を、スキャン機能を用いる動作によって得られるスキャンデーターの送信先として設定するステップとを画像処理装置に実行させる。携帯端末からの返答には、当該携帯端末においてスキャンデーターの受信可が設定されてからの経過時間が含まれ、設定するステップでは、問い合わせに対してスキャンデーターの受信可能と返答した携帯端末が複数台あった場合、スキャンデーターの送信可が設定されてからの経過時間に基づいて、複数台の携帯端末のうちから１台の携帯端末をスキャン機能を用いる動作によって得られるスキャンデーターの送信先として決定する。
【００２５】
本発明のさらに他の局面に従うと、制御プログラムは、スキャン機能を有する画像処理装置と通信可能な携帯端末に、スキャン機能を用いる動作によって得られるスキャンデーターを受信する処理を実行させるためのプログラムであって、スキャンデーターの受信の可否を設定するステップと、設定するステップにおいてスキャンデーターの受信可が設定されている場合に他の装置からスキャンデーターの受信の可否の問い合わせを受けると、他の装置に対して、スキャンデーターの受信情報と共に受信可能を返答するステップとを携帯端末に実行させる。
【発明の効果】
【００２６】
この発明によると、煩雑な操作を行なうことなく、画像処理装置からのスキャンデーターの送信先として意図した携帯端末を設定することができる。
【図面の簡単な説明】
【００２７】
【図１】実施の形態にかかる画像処理システムの構成の具体例を示す図である。
【図２】実施の形態にかかる画像処理システムに含まれるＭＦＰ（Multi-Functional Peripheral）のハードウェア構成の具体例を示す図である。
【図３】実施の形態にかかる画像処理システムに含まれる携帯端末のハードウェア構成の具体例を示す図である。
【図４】第１の実施の形態にかかる画像処理システムでの動作の流れを表わす図である。
【図５】図４のステップＳ１２でＭＦＰから送信される問い合わせメッセージの具体例を示す図である。
【図６】図４のステップＳ３２で携帯端末からＭＦＰに対して送信される返答メッセージの具体例を示す図である。
【図７】図４のステップＳ３２で携帯端末からＭＦＰに対して送信される返答メッセージの他の具体例を示す図である。
【図８】ＭＦＰの機能構成の具体例を示すブロック図である。
【図９】携帯端末の機能構成の具体例を示すブロック図である。
【図１０】ＭＦＰでの、第１の実施の形態にかかる動作の流れを表わすフローチャートである。
【図１１】携帯端末での、第１の実施の形態にかかる動作の流れを表わすフローチャートである。
【図１２】第２の実施の形態にかかる画像処理システムでの動作の流れを表わす図である。
【図１３】図１２のステップＳ３０で携帯端末から送信される問い合わせメッセージの具体例を示す図である。
【図１４】携帯端末の機能構成の具体例を示すブロック図である。
【図１５】携帯端末での第２の実施の形態にかかる動作の一部を表わしたフローチャートである。
【発明を実施するための形態】
【００２８】
以下に、図面を参照しつつ、本発明の実施の形態について説明する。以下の説明では、同一の部品および構成要素には同一の符号を付してある。それらの名称および機能も同じである。
【００２９】
＜システム構成＞
図１は、本実施の形態にかかる画像処理システムの構成の具体例を示す図である。
【００３０】
図１を参照して、画像処理システムは、画像処理装置としての、複数のＭＦＰ（Multi-Functional Peripheral）１００Ａ，１００Ｂと、複数の携帯端末２００Ａ，２００Ｂと、サーバー３００と、情報処理装置としてのＰＣ（パーソナルコンピューター）４００とを含む。複数のＭＦＰ１００Ａ，１００Ｂを代表させてＭＦＰ１００と称し、複数の携帯端末２００Ａ，２００Ｂを代表させて携帯端末２００と称する。
【００３１】
画像処理装置は少なくともスキャン機能を有しておればよく、ＭＦＰに限定されない。他の装置としてスキャナーであってもよい。
【００３２】
携帯端末２００は、たとえば携帯電話機などが該当し、少なくとも通信機能を備えた小型モバイルであれば他の装置であってもよい。
【００３３】
サーバー３００は、一般的なパーソナルコンピューターなどから構成されるものであってよい。また、ＰＣ４００も、一般的なパーソナルコンピューターであってよい。
【００３４】
図１に示される画像処理システムは、たとえばオフィス環境に設置されるような、一般的なシステムが想定されている。しかしながら、少なくともＭＦＰ１００および携帯端末２００を含むものであれば、他の装置が含まれていなくてもよく、または、図１に示された以外の装置が含まれていてもよい。
【００３５】
ＭＦＰ１００、携帯端末２００、サーバー３００およびＰＣ４００は互いに通信可能であり、情報をやり取りする。この通信は、有線、無線を問わず、いずれの通信形態であってもよい。本実施の形態にかかる画像処理システムはオフィス環境で用いられることが想定されるため、一例として、図１に表わされたように、有線、または無線のＬＡＮ（Local Area Network）にこれら装置が接続され、該ネットワークを介して情報をやり取りする通信形態が挙げられる。
【００３６】
＜装置構成＞
図２は、ＭＦＰ１００のハードウェア構成の具体例を示す図である。
【００３７】
図２を参照して、ＭＦＰ１００は、全体を制御するための演算装置であるＣＰＵ（Central Processing Unit）１０と、ＣＰＵ１０で実行されるプログラムなどを記憶するためのＲＯＭ（Read Only Memory）１１と、ＣＰＵ１０でプログラムを実行する際の作業領域として機能するためのＲＡＭ（Random Access Memory）１２と、図示しない原稿台に載置された原稿を光学的に読み取って画像データーを得るためのスキャナー１３と、画像データーを印刷用紙上に固定するためのプリンター１４と、情報を表示したり当該ＭＦＰ１００に対する操作入力を受け付けたりするためのタッチパネルを含んだ操作パネル１５と、画像データーを保存するためのメモリー１６と、ＬＡＮを介した通信の制御するためのネットワークコントローラー１７とを含む。
【００３８】
操作パネル１５は、図示しないタッチパネルと操作キー群とを含む。タッチパネルは、液晶表示装置などの表示装置と光学式タッチパネルや静電容量タッチパネルなどの位置指示装置とが重なって構成され、操作画面を表示して、その操作画面上の指示位置を特定する。ＣＰＵ１０は予め記憶されている画面表示をさせるためのデーターに基づいてタッチパネルに操作画面を表示させる。
【００３９】
センサー１８としては、たとえば、トナー量残量を検出するためのセンサーや、各部のジャム（紙詰まり）や温度異常や動作異常等を検出するためのセンサーや、各部品の装着の有無を検知するためのセンサーなどが該当する。
【００４０】
図３は、携帯端末２００のハードウェア構成の具体例を示す図である。
図３を参照して、携帯端末２００は、全体を制御するための演算装置であるＣＰＵ２０と、ＣＰＵ２０で実行されるプログラムなどを記憶するためのＲＯＭ２１と、ＣＰＵ２０でプログラムを実行する際の作業領域として機能するためのＲＡＭ２２と、情報を表示したり当該携帯端末２００に対する操作入力を受け付けたりするためのタッチパネルを含んだ操作パネル２５と、ＬＡＮを介した通信の制御するためのネットワークコントローラー２７と、電話帳データーなどを記憶するためメモリー２８とを含む。
【００４１】
操作パネル２５は、ＭＦＰ１００の操作パネル１５と同様の構成であってよい。すなわち、一例として、液晶表示装置などの表示装置と光学式タッチパネルや静電容量タッチパネルなどの位置指示装置とが重なって構成されたタッチパネルと、操作キーとを含む。
【００４２】
ＣＰＵ２００は予め記憶されている画面表示をさせるためのデーターに基づいてタッチパネルに操作画面を表示させる。タッチパネルでは操作画面上の指示位置が特定され、その位置を示す操作信号がＣＰＵ２０に入力される。また、押下されたキーを示す操作信号がＣＰＵ２０に入力される。ＣＰＵ２０は押下されたキー、または表示している操作画面と指示位置とから操作内容を特定し、それに基づいて処理を実行する。
【００４３】
サーバー３００およびＰＣ４００は、上述のように通常のＰＣで構成されてよいため、そのハードウェア構成も、一般的なＰＣのハードウェア構成と同様である。本実施の形態においては、特定の構成には限定されない。
【００４４】
［第１の実施の形態］
＜動作概要＞
図４は、第１の実施の形態にかかる画像処理システムでの動作の流れを表わす図である。
【００４５】
図４を参照して、第１の実施の形態にかかる画像処理システムでは、ＭＦＰにおいてスキャンイベントが発生すると（ステップＳ１１）、当該ＭＦＰから画像処理システム上の各装置に対してブロードキャストで問い合わせがなされる（ステップＳ１２）。
【００４６】
ここで、スキャンイベントとは、ＭＦＰにおいてスキャン動作を開始するためのアクションを指す。たとえば、図示しない原稿台に原稿がセットされたことや、操作パネル１５でスキャンモードとする指示がなされたことや、操作パネル１５のスキャンスタートボタンがタッチされるなどのスキャン動作開始の指示がなされたことなどが該当する。
【００４７】
図５は、上記ステップＳ１２でＭＦＰから送信される問い合わせメッセージの具体例を示す図である。
【００４８】
図５を参照して、上記ステップＳ１２では、当該ＭＦＰ自身のネットワーク情報として、たとえばＩＰアドレスと、当該メッセージが携帯端末の待ち受けモードを問い合わせるものであることを表わしたメッセージ本文とを含んだ問い合わせが画像処理システム上の各装置に対して送信される。
【００４９】
携帯端末は、スキャンデーターの受信に関する状態（以下、この状態を「待ち受けモード」とも称する）として、受信が可能な状態である待ち受けモードＯＮと、受信をしない状態である待ち受けモードＯＦＦとのモードを有する。
【００５０】
待ち受けモードのＯＦＦからＯＮへの切り替えは、ユーザー操作に応じて行なわれる。このユーザー操作としては、たとえば、操作パネル２５に表示されるアイコンにタッチするなどして待ち受けモードを設定するためのアプリケーションを起動させる操作や、操作パネル２５に待ち受けモードをＯＮとするためのボタンが表示されたり図示しない待ち受けモードをＯＮとするための操作ボタンが設けられたりして、当該ボタンに対する操作、などが該当する。
【００５１】
携帯端末において待ち受けモードをＯＮとするための上述のような操作がなされたことが検出されると、待ち受けモードＯＮとする処理がなされる（ステップＳ３１）。待ち受けモードＯＮにおいて、ＭＦＰからの図５の問い合わせを受信すると、自身が待ち受けモードＯＮであることを表わす返答メッセージを自動的にＭＦＰに対して返す（ステップＳ３２）。
【００５２】
図６は、上記ステップＳ３２で携帯端末からＭＦＰに対して送信される返答メッセージの具体例を示す図である。
【００５３】
図６を参照して、上記ステップＳ３２では、携帯端末のネットワーク情報として、たとえばＩＰアドレスと、スキャンデーターを受信するためのネットワーク情報として、たとえばポート番号と、当該メッセージが携帯端末の待ち受けモードを返答するものであることを表わしたメッセージ本文とを含んだ返答が問い合わせたＭＦＰに対して送信される。
【００５４】
好ましくは、携帯端末では、待ち受けモードがＯＮからＯＦＦに自動的に切り替わる。一例として、待ち受けモードＯＮとなったときから所定時間経過の後に自動的に切り替わってもよい。または、上記操作ボタンが押下（タッチ）されている間、待ち受けモードがＯＮとなり、押下（タッチ）が開放されると自動的にＯＮからＯＦＦに切り替わるようにしてもよい。そして、ＯＮである間にＭＦＰからの上記問い合わせを受信すると、図６の返答メッセージが送信される。
【００５５】
このようにすることで、複数台の携帯端末が待ち受けモードＯＮとなっている可能性が低くなり、上記問い合わせに対して１台の携帯端末のみから返答がなされる可能性が高くなる。
【００５６】
なお、ＭＦＰにおいて、返答した複数台の携帯端末からスキャンデーターの送信対象として１台の携帯端末を絞り込むための後述する処理のため、返答メッセージとして携帯端末からＭＦＰに対して待ち受けモードＯＮとなった時点からの経過時間がさらに送信されてもよい。すなわち、図７は、上記ステップＳ３２で携帯端末からＭＦＰに対して送信される返答メッセージの他の具体例を示す図である。図７を参照して、一例として、上記ステップＳ３２では、図６の各情報に加えて、待ち受けモードＯＮとなった時点からの経過時間が問い合わせたＭＦＰに対して送信される。
【００５７】
ＭＦＰでは、図６または図７の返答メッセージを受信すると、返答メッセージに含まれるスキャンデーターを受信するためのネットワーク情報に基づいて、当該携帯端末をスキャンデーターの送信先として設定する。
【００５８】
複数の携帯端末からＭＦＰに対して返答メッセージが返された場合、ＭＦＰはこれら複数の携帯端末からスキャンデーターの送信対象として１台の携帯端末を絞り込む処理を実行し（ステップＳ１３）、その結果得られた１台の携帯端末をスキャンデーターの送信先として設定する（ステップＳ１４）。
【００５９】
上記ステップＳ１３での絞り込む処理では、一例として、図７の返答メッセージに含まれる待ち受けモードＯＮとなった時点からの経過時間を参照して、その時間が最も長い携帯端末をスキャンデーターの送信先として設定する。これにより、予め送信先として待ち受けモードＯＮとして準備していた携帯端末がスキャンデーターの送信先として設定されることになる。
【００６０】
なお、この場合、待ち受けモードＯＮとなった時点からの経過時間の短い携帯端末がスキャンデーターの送信先として設定されてもよい。これにより、スキャンイベントのタイミングで待ち受けモードＯＮとなった携帯端末がスキャンデーターの送信先として設定される可能性が高まる。
【００６１】
＜機能構成＞
図８は、上述の動作を実現するためのＭＦＰ１００の機能構成の具体例を示すブロック図である。図８に示される各機能は、ＣＰＵ１０がＲＯＭ１１に記憶されるプログラムを読み出してＲＡＭ１２上で実行することで、主にＣＰＵ１０に形成される機能である。しかしながら、少なくとも一部の機能が図２に示されたハードウェア構成によって形成されてもよい。
【００６２】
図８を参照して、上記動作を実現するための機能としてＭＦＰ１００は、操作パネル１５からの操作信号の入力を受け付けて、その操作信号からスキャンイベントを検出するための検出部１０１と、ネットワークコントローラー１７を介して画像処理システム上の各装置に対して待ち受けモードの問い合わせを行なうための問い合わせ部１０２と、ネットワークコントローラー１７を介して画像処理システム上の携帯端末２００から待ち受けモードＯＮである旨の返答メッセージの入力を受け付けるための入力部１０３と、複数の携帯端末２００から返答メッセージを受信した場合にその中からスキャンデーターの送信先とする携帯端末を絞り込むための絞込み部１０４と、返答メッセージに含まれるネットワーク情報を用いてスキャンデーターの送信先を設定するための設定部１０５とを含む。
【００６３】
図９は、上述の動作を実現するための携帯端末２００の機能構成の具体例を示すブロック図である。図９に示される各機能は、ＣＰＵ２０がＲＯＭ２１に記憶されるプログラムを読み出してＲＡＭ２２上で実行することで、主にＣＰＵ２０に形成される機能である。しかしながら、少なくとも一部の機能が図３に示されたハードウェア構成によって形成されてもよい。
【００６４】
図９を参照して、上記動作を実現するための機能として携帯端末２００は、操作パネル１５からの操作信号の入力を受け付けて、その操作信号に基づいて待ち受けモードのＯＮ／ＯＦＦを変更するためのモード変更部２０１と、待ち受けモードの設定を記憶するためのモード設定部２０２と、ネットワークコントローラー２７を介して画像処理システム上のＭＦＰ１００から待ち受けモードの問い合わせを受け付けるための問い合わせ入力部２０３と、待ち受けモードＯＮの場合にネットワークコントローラー２７を介してＭＦＰ１００に対して返答メッセージを送信するための返答部２０４と、ネットワークコントローラー２７を介してＭＦＰ１００から送信されたスキャンデーターを受信するためのデーター入力部２０５とを含む。
【００６５】
＜動作フロー＞
図１０は、ＭＦＰ１００での、第１の実施の形態にかかる動作の流れを表わすフローチャートである。図１０のフローチャートに表わされる動作は、ＣＰＵ１０がＲＯＭ１１に記憶されるプログラムを読み出してＲＡＭ１２上で実行し、図８に示される各機能を発揮することによって実現される。
【００６６】
図１０を参照して、ＭＦＰ１００のＣＰＵ１０は、上述のようなスキャンイベントの発生を検出すると（ステップＳ１０１でＹＥＳ）、ステップＳ１０３で、画像形成システム上の各装置に対して、図５のような待ち受けモードの問い合わせをブロードキャストで送信する。
【００６７】
上記問い合わせに応じて図６または図７のような返答メッセージが送信され（ステップＳ１０５でＹＥＳ）、さらに、それが複数の携帯端末のそれぞれから返答メッセージが送信された場合には（ステップＳ１０７でＹＥＳ）、ステップＳ１０９でＣＰＵ１０は、スキャンデーターの送信対象として１台の携帯端末を絞り込む処理を実行する。
【００６８】
ステップＳ１０９の処理の一例として、ＣＰＵ１０は、各携帯端末からの図７の返答メッセージに含まれる待ち受けモードＯＮからの経過時間を比較し、その時間が最も長い携帯端末、または短い携帯端末を、スキャンデーターの送信先として決定する。そして、ステップＳ１１１でＣＰＵ１０は、絞り込まれた１台の携帯端末をスキャンデーターの送信先に設定する。
【００６９】
なお、返答メッセージが１台の携帯端末のみから送信された場合には（ステップＳ１０７でＮＯ）、上記ステップＳ１０９の処理をスキップし、ステップＳ１１１でＣＰＵ１０は、返信メッセージを送信した携帯端末をスキャンデーターの送信先に設定する。
【００７０】
そして、ステップＳ１１３でＣＰＵ１０は、スキャンイベントによって得られたスキャンデーターを、上記ステップＳ１１１で送信先として設定された携帯端末に対して送信して、一連の動作を終了する。
【００７１】
図１１は、携帯端末２００での、第１の実施の形態にかかる動作の流れを表わすフローチャートである。図１１のフローチャートに表わされる動作は、ＣＰＵ２０がＲＯＭ２１に記憶されるプログラムを読み出してＲＡＭ２２上で実行し、図９に示される各機能を発揮することによって実現される。
【００７２】
図１１を参照して、携帯端末２００のＣＰＵ２０は、たとえば、操作パネル２５に表示されるアイコンにタッチするなどの所定の、待ち受けモードをＯＮするための操作を検出すると（ステップＳ２０１でＹＥＳ）、ステップＳ２０３でＣＰＵ２０は、待ち受けモードをＯＮにする。
【００７３】
その後、ＭＦＰ１００から、上記ステップＳ１０３で送信された図５のような待ち受けモードの問い合わせを受信すると（ステップＳ２０５でＹＥＳ）、ステップＳ２０７でＣＰＵ２０は、図６または図７のような返答メッセージを当該ＭＦＰ１００に対して送信する。
【００７４】
上記返答メッセージの送信の後、当該ＭＦＰ１００から、返答メッセージに含まれるネットワーク情報に基づいた宛先でスキャンデーターが送信されてくると（ステップＳ２０９でＹＥＳ）、ステップＳ２１１でＣＰＵ２０は、該スキャンデーターを受信する。
【００７５】
一方、上記ステップＳ２０３で待ち受けモードＯＮとした後、待ち受けモードの問い合わせを受信していない場合には（ステップＳ２０５でＮＯ）、ステップＳ２０７〜Ｓ２１１の動作をスキップする。
【００７６】
以上の動作は、待ち受けモードがＯＮである間は（ステップＳ２１３でＮＯ）、繰り返される。その後、たとえば予め規定された時間が経過したり、待ち受けモードＯＮとするためのボタンの押下が解消されたりして、待ち受けモードをＯＮからＯＦＦとするタイミングが検出されると（ステップＳ２１３でＹＥＳ）、ステップＳ２１５でＣＰＵ２０は、待ち受けモードをＯＮからＯＦＦとした上で、次に、待ち受けモードをＯＮするための操作が検出されるまで待機する。
【００７７】
＜第１の実施の形態の効果＞
第１の実施の形態にかかる画像処理システムにおいて以上の動作が行なわれることで、スキャンデーターの送信先とする携帯端末について、たとえばＩＰアドレス等のネットワーク情報をＭＦＰに対して入力するという煩雑な操作を行なうことなく、容易に、スキャンデーターの送信先として携帯端末を設定することができる。
【００７８】
また、携帯端末では待ち受けモードが所定のタイミングで自動的にＯＮからＯＦＦとなることから、スキャンデーターの送信先としてＭＦＰから問い合わせがなされた際に待ち受けモードＯＮとなっている携帯端末が１台となる可能性が高まる。そのため、複数台の携帯端末から意図した１台の携帯端末を選択するという煩雑な操作を行なうことなく、スキャンデーターの送信先として、意図した１台の携帯端末が自動的に設定される可能性が高くなる。
【００７９】
また、さらに、ＭＦＰにおいては、複数の携帯端末が待ち受けモードＯＮであることが検出されると、たとえば待ち受けモードＯＮとなってからの経過時間等に基づいてこれら複数の携帯端末のうちからスキャンデーターの送信先とする携帯端末を自動的に１台に絞り込む処理が行なわれる。そのため、複数台の携帯端末から意図した１台の携帯端末を選択するという煩雑な操作を行なうことなく、スキャンデーターの送信先として、意図した１台の携帯端末が自動的に設定される可能性が高くなる。
【００８０】
［変形例１］
なお、上述の例では、ＭＦＰからの待ち受けモードの問い合わせに対して複数の携帯端末から返答がなされた場合に、スキャンデーターの送信先として、ＭＦＰが自動的に１台の携帯端末に絞り込むものとしている。
【００８１】
他の例として、ＭＦＰにおいてユーザー操作を受け付けて、当該操作に基づいて１台の携帯端末に絞り込むようにしてもよい。
【００８２】
ＭＦＰにおいてユーザー操作に応じて携帯端末を絞り込む方法の一例として、ＭＦＰは、操作パネルに、たとえば「モバイルのボタンを押してください」等の、携帯端末の操作を促す表示を行ない、当該表示に応じて所定期間内になされた操作による信号を送信した携帯端末を、スキャンデーターの送信先として決定するようにしてもよい。このとき、当該画像処理システム上の複数のＭＦＰにおいて同じタイミングで携帯端末の絞りこみを行なう場合には、ＭＦＰが順に上記表示を行なってその期間内の携帯端末からの信号に応じて、それぞれスキャンデーターの送信先としての携帯端末を決定するようにしてもよい。
【００８３】
また他の例として、ＭＦＰは返答した複数の携帯端末のそれぞれに対して所定の色や文字や画像を送信し、それらを選択肢として操作パネルに表示することで、携帯端末の選択を受け付けて、選択された携帯端末を、スキャンデーターの送信先として特定する方法が挙げられる。
【００８４】
さらに他の例として、携帯端末からの返答メッセージに当該携帯端末を携帯するユーザーのメールアドレスが含まれ、ＭＦＰでは当該メールアドレスを選択肢として操作パネルに表示することで、携帯端末の選択を受け付けて、選択された携帯端末を、スキャンデーターの送信先として特定する方法が挙げられる。
【００８５】
このようにすることで、ユーザーはＩＰアドレス等の入力を行なうことなく、また、ＩＰアドレス等を認識していなくても、スキャンデーターの送信先とする携帯端末を容易に選択することができる。
【００８６】
［変形例２］
他の例として、ＭＦＰからの待ち受けモードの問い合わせに対して複数の携帯端末から返答がなされた場合に、スキャンデーターの送信先として１台の携帯端末に絞り込むことなく、返答されたすべての携帯端末に対してスキャンデーターが送信されてもよい。この場合、携帯端末側で、当該スキャンデーターの要否の操作を受け付けて、当該操作に基づいて当該携帯端末ではスキャンデーターを受信するようにすればよい。
【００８７】
すなわち、ＭＦＰは、複数の携帯端末から待ち受けＯＮの返答が送信されると、これら複数の携帯端末に対してスキャンデーターを送信する。
【００８８】
携帯端末では、ＭＦＰからスキャンデーターが送信されたことを検知すると、たとえば「スキャンデーターが送信されました。受信しますか？」などのメッセージと共に「ＹＥＳ」「ＮＯ」の選択肢を操作パネルに表示するなどして、受信のためのユーザーの操作を受け付ける。そして、受信するためのユーザーが操作がなされた場合には、当該スキャンデーターを受信して取り込む。
【００８９】
このようにすることでも、ユーザーは容易な操作でスキャンデーターをＭＦＰから意図した携帯端末に送信させることができる。
【００９０】
［第２の実施の形態］
第１の実施の形態にかかる画像処理システムでは、ＭＦＰから待ち受けモードの問い合わせがなされた際に複数の携帯端末が待ち受けモードＯＮである場合がある。この場合に、スキャンデーターの送信先として、ＭＦＰ側で複数の携帯端末から１台の携帯端末を絞り込むものとしている。
【００９１】
他の方法として、待ち受けモードＯＮとなる携帯端末を１台とする方法が挙げられる。
＜動作概要＞
図１２は、第２の実施の形態にかかる画像処理システムでの動作の流れを表わす図である。
【００９２】
図１２を参照して、第２の実施の形態にかかる画像処理システムでは、待ち受けモードＯＮとなる携帯端末を１台とするため、携帯端末において待ち受けモードＯＮとなる際に、画像処理システム上の携帯端末に対して待ち受けモードの問い合わせを行なう。
【００９３】
詳しくは、図１２を参照して、携帯端末Ａにおいて待ち受けモードをＯＮとするための上述のような操作がなされたことが検出されると、第２の実施の形態にかかる画像処理システムでは、携帯端末Ａから該システム上の他の装置に対して、ブロードキャストで待ち受けモードの問い合わせがなされる（ステップＳ３０）。
【００９４】
図１３は、上記ステップＳ３０で携帯端末から送信される問い合わせメッセージの具体例を示す図である。
【００９５】
図１３を参照して、上記ステップＳ３０では、送信側の携帯端末のネットワーク情報として、たとえばＩＰアドレスと、当該メッセージが携帯端末の待ち受けモードを問い合わせるものであることを表わしたメッセージ本文とを含んだ問い合わせが画像処理システム上の各装置に対して送信される。
【００９６】
上記問い合わせを受けた携帯端末Ｂが待ち受けモードＯＮであった場合、第１の実施の形態にかかる動作の上記ステップＳ３２と同様に、この問い合わせに対して、図６のような返答メッセージを送信する。
【００９７】
問い合わせた携帯端末Ａは、他の携帯端末から待ち受けモードＯＮであるとの返答を受信しなかった場合に、自身の待ち受けモードをＯＮとする（ステップＳ３１）。
【００９８】
＜機能構成＞
図１４は、上述の動作を実現するための携帯端末２００の機能構成の具体例を示すブロック図である。図１４に示される各機能もまた、ＣＰＵ２０がＲＯＭ２１に記憶されるプログラムを読み出してＲＡＭ２２上で実行することで、主にＣＰＵ２０に形成される機能である。しかしながら、少なくとも一部の機能が図３に示されたハードウェア構成によって形成されてもよい。
【００９９】
図１４を参照して、第２の実施の形態にかかる携帯端末２００は、図９に示された第１の実施の形態にかかる携帯端末２００の構成に加えて、ネットワークコントローラー２７を介して画像処理システム上の各装置に対して待ち受けモードの問い合わせを行なうための問い合わせ部２０６と、ネットワークコントローラー２７を介して画像処理システム上の携帯端末２００から待ち受けモードＯＮである旨の返答メッセージの入力を受け付けるための返答入力部２０７とをさらに含む。
【０１００】
第２の実施の形態においては、モード変更部２０１は、ネットワークコントローラー２７を介して画像処理システム上の他の携帯端末から待ち受けモードＯＮである旨の返答メッセージの入力がなされなかった場合に、操作パネル１５からの操作信号に応じて待ち受けモードをＯＮからＯＦＦに切り替える。
【０１０１】
＜動作フロー＞
図１５は、携帯端末２００での動作の、第２の実施の形態での特徴的な部分を表わしたフローチャートである。図１５のフローチャートに表わされる動作は、ＣＰＵ２０がＲＯＭ２１に記憶されるプログラムを読み出してＲＡＭ２２上で実行し、図１４に示される各機能を発揮することによって実現される。
【０１０２】
図１５を参照して、携帯端末２００のＣＰＵ２０は、待ち受けモードをＯＮするための操作を検出すると（ステップＳ２０１でＹＥＳ）、ステップＳ２０２−１で画像形成システム上の各装置に対して、図１３のような待ち受けモードの問い合わせをブロードキャストで送信する。
【０１０３】
上記問い合わせに応じて図６のような返答メッセージが１つでも返送された場合（ステップＳ２０２−２でＹＥＳ）、当該画像処理システム上に待ち受けモードＯＮの携帯端末がすでに存在することになるため、ＣＰＵ２０は以降の待ち受けモードをＯＮにする処理は行なわず、最初のステップに戻る。
【０１０４】
一方、上記問い合わせに応じて返答メッセージが１つも返送されなかった場合には（ステップＳ２０２−２でＮＯ）、当該画像処理システム上に待ち受けモードＯＮの携帯端末がないため、ステップＳ２０３でＣＰＵ２０は、待ち受けモードをＯＮにする。その後は、図１１に示された第１の実施の形態での動作と同様の動作が行なわれる。
【０１０５】
＜第２の実施の形態の効果＞
第２の実施の形態にかかる画像処理システムにおいて、携帯端末が上述の動作を行なうことで、他の携帯端末が待ち受けモードＯＮであった場合に当該携帯端末の待ち受けモードがＯＮとならない。つまり、同時に複数の携帯端末の待ち受けモードがＯＮとなることがない。そのため、ＭＦＰでは、待ち受けモードを問い合わせた際に待ち受けモードがＯＮである携帯端末１台から返答があることになり、絞り込むための処理を行なうことなく当該携帯端末をスキャンデーターの送信先として設定することができる。
【０１０６】
なお、この第１の実施の形態と第２の実施の形態とが組み合わされてもよい。
さらに、上述の処理をＭＦＰ１００や携帯端末２００に実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読み取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０７】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１０９】
提供されるプログラム製品は、ハードディスクなどのプログラム格納部にインストールされて実行される。なお、プログラム製品は、プログラム自体と、プログラムが記録された記録媒体とを含む。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１１】
１０，２０  ＣＰＵ、１１，２１  ＲＯＭ、１２，２２  ＲＡＭ、１３  スキャナー、１４  プリンター、１５，２５  操作パネル、１６，２８  メモリー、１７，２７  ネットワークコントローラー、１８  センサー、１００，１００Ａ，１００Ｂ  ＭＦＰ、１０１  検出部、１０２，２０６  問い合わせ部、１０３  入力部、１０４  絞込み部、１０５  設定部、２００，２００Ａ，２００Ｂ  携帯端末、２０１  モード変更部、２０２  モード設定部、２０３  問い合わせ入力部、２０４  返答部、２０５  データー入力部、２０７  返答入力部、３００  サーバー。
【図１】
0005790373.tif 000002
【図２】
0005790373.tif 000003
【図３】
0005790373.tif 000004
【図４】
0005790373.tif 000005
【図５】
0005790373.tif 000006
【図６】
0005790373.tif 000007
【図７】
0005790373.tif 000008
【図８】
0005790373.tif 000009
【図９】
0005790373.tif 000010
【図１０】
0005790373.tif 000011
【図１１】
0005790373.tif 000012
【図１２】
0005790373.tif 000013
【図１３】
0005790373.tif 000014
【図１４】
0005790373.tif 000015
【図１５】
0005790373.tif 000016